(57)【特許請求の範囲】
【請求項１】
発光素子が実装された基板と、
前記基板に対して熱的に接続される放熱部材と、
前記基板を位置決めする位置決め孔を有し、前記基板の外周面が前記位置決め孔の内周面と対向するように前記基板を囲み前記放熱部材に対して固定される取付部材と、
前記取付部材に固定されて前記取付部材からの前記基板の脱落を阻止する一対のホルダとを備え、
前記位置決め孔は、前記基板よりも大きい寸法形状を有し、
前記一対のホルダの各々は、電線が挿入される電線挿入口を有し、
前記一対のホルダの各々には、前記電線挿入口に挿入された前記電線に接触導通する電線接触部を有して前記発光素子に電気的に接続される端子板が保持されていて、
前記発光素子は、前記一対のホルダの間に配置され、
前記一対のホルダの前記電線挿入口は、互いに同じ方向に向いて、かつ、前記取付部材から離れる向きに開口していることを特徴とする照明装置。
【請求項２】
前記取付部材は、前記ホルダを位置決めするホルダ位置決め部を有することを特徴とする請求項１記載の照明装置。
【請求項３】
前記ホルダは絶縁材料からなり、ねじ止め固定用のねじが挿通されるねじ挿通孔と、前記ねじ挿通孔に挿通されたねじの頭部と前記電線挿入口との間に位置する仕切り部とを有することを特徴とする請求項１又は請求項２記載の照明装置。
【請求項４】
前記取付部材と前記放熱部材とには、それぞれ、前記電線が挿通される電線挿通孔が設けられていることを特徴とする請求項１〜３のいずれか１項に記載の照明装置。
【請求項５】
前記取付部材に固定されて前記基板を囲む筒形状の反射板を備え、
前記反射板には、前記電線が挿通される電線挿通孔が設けられていることを特徴とする請求項１〜４のいずれか１項に記載の照明装置。
【発明の詳細な説明】
【技術分野】
【０００１】
本発明は、照明装置に関し、より具体的には、基板に実装された発光素子を光源とする照明装置に関する。
【背景技術】
【０００２】
従来、発光素子が実装された基板を備える照明装置が提供されている（例えば、特許文献１参照）。
【０００３】
基板には絶縁材料からなるホルダが取り付けられ、ホルダには導電材料からなり発光素子に電気的に接続された端子板が保持される。また、ホルダには、電線が挿入される電線挿入口が設けられ、端子板は、電線挿入口から挿入された電線に接触導通する。すなわち、電線挿入口から挿入された電線は、端子板を介して発光素子に電気的に接続される。
【先行技術文献】
【特許文献】
【０００４】
【特許文献１】特開２０１３−９３１９２号公報
【発明の概要】
【発明が解決しようとする課題】
【０００５】
上記従来の照明装置において、電線挿入口は、ホルダが固定される面に対して平行な方向に開口していた。従って、例えばホルダが凹部の内底面に固定されているような状態では、電線挿入口への電線の挿入が比較的に困難となっていた。
【０００６】
本発明は、上記事由に鑑みて為されたものであり、その目的は、電線挿入口への電線の挿入がより容易な照明装置を提供することにある。
【課題を解決するための手段】
【０００７】
本発明に係る照明装置は、発光素子が実装された基板と、前記基板に対して熱的に接続される放熱部材と、前記基板を位置決めする位置決め孔を有し、前記基板の外周面が前記位置決め孔の内周面と対向するように前記基板を囲み前記放熱部材に対して固定される取付部材と、前記取付部材に固定されて前記取付部材からの前記基板の脱落を阻止する一対のホルダとを備え、前記位置決め孔は、前記基板よりも大きい寸法形状を有し、前記一対のホルダの各々は、電線が挿入される電線挿入口を有し、前記一対のホルダの各々には、前記電線挿入口に挿入された前記電線に接触導通する電線接触部を有して前記発光素子に電気的に接続される端子板が保持されていて、前記発光素子は、前記一対のホルダの間に配置され、前記一対のホルダの前記電線挿入口は、互いに同じ方向に向いて、かつ、前記取付部材から離れる向きに開口していることを特徴とする。
【発明の効果】
【０００８】
本発明によれば、電線挿入口への電線の挿入がより容易となる。
【図面の簡単な説明】
【０００９】
【図１】本発明の実施形態に係る照明装置を示す分解斜視図である。
【図２】上記の照明装置を示す断面図である。
【図３】上記の照明装置を示す斜視図である。
【図４】上記の照明装置において反射板と透光カバーとが取り外された状態を示す斜視図である。
【図５】上記の照明装置において反射板と透光カバーと放熱部材とが取り外された状態を示す斜視図である。
【図６】上記の照明装置におけるホルダと端子板とを示す斜視図である。
【図７】上記の照明装置において反射板と透光カバーと放熱部材とが取り外された状態を示す断面図である。
【図８】上記の照明装置の別の例を示す斜視図である。
【発明を実施するための形態】
【００１０】
本発明に係る照明装置は、図１に示すように、発光素子１０が実装された基板１１と、基板１１に対して熱的に接続される放熱部材２とを備える。また、上記の照明装置は、基板１１を囲み放熱部材２に対して固定される取付部材３と、取付部材３に固定されて取付部材３からの基板１１の脱落を阻止するホルダ６とを備える。ホルダ６は、電線８２が挿入される電線挿入口６００を有し、ホルダ６には、電線挿入口６００に挿入された電線８２に接触導通する電線接触部７１（図７参照）を有して発光素子１０に電気的に接続される端子板７が保持されている。電線挿入口６００は、取付部材３から離れる向きに開口している。
【００１１】
上記の照明装置において、取付部材３は、ホルダ６を位置決めするホルダ位置決め部３６を有することが望ましい。
【００１２】
上記の照明装置において、ホルダ６は絶縁材料からなり、ねじ止め固定用のねじ８１が挿通されるねじ挿通孔６１と、ねじ挿通孔６１に挿通されたねじ８１の頭部と電線挿入口６００との間に位置する仕切り部６３とを有することが望ましい。
【００１３】
上記の照明装置において、取付部材３と放熱部材２とには、それぞれ、電線８２が挿通される電線挿通孔２１３，３１３が設けられていてもよい。
【００１４】
上記の照明装置において、取付部材３に固定されて基板１１を囲む筒形状の反射板４を備え、反射板４には、電線８２が挿通される電線挿通孔４４１（図８参照）が設けられていてもよい。
【００１５】
以下、本発明を実施するための最良の形態について、図面を参照しながら説明する。
【００１６】
本実施形態の照明装置は、図１及び図２に示すように、発光素子１０が実装された基板１１と、基板１１に対して熱的に接続される放熱部材２とを備える。
【００１７】
以下、上下方向は図１を基準として説明する。なお、上記方向は説明の便宜上定義するものであって、実際の使用状態での方向とは必ずしも一致しない。
【００１８】
基板１１は、厚さ方向を上下方向に向けた矩形平板である。発光素子１０は例えば発光ダイオードであって、基板１１において上方に向けられた実装面の中央部に実装されている。発光素子１０の放熱のため、基板１１の材料としてはなるべく熱伝導率が高い材料が用いられることが望ましい。具体的には、基板１１としては例えばセラミック基板や金属ベース基板が用いられる。また、基板１１の実装面の互いに対角に位置する２箇所にはそれぞれ発光素子１０の１個ずつの電極に電気的に接続された端子１２が設けられている。すなわち、上記の端子１２間に電圧を印加されることで、発光素子１０は通電されて発光する。
【００１９】
放熱部材２は、例えばアルミダイカストからなり、厚さ方向を上下方向に向けた円板形状の本体部２１と、厚さ方向を互いに平行として本体部２１の下面からそれぞれ突出する複数個（図２では８個）の放熱フィン２２とを有する。基板１１は、非実装面（下面）を、放熱部材２の本体部２１の上面の中央部に対して熱的に接続されている。熱的な接続は、密着により達成されてもよいし、シリコーングリス（いわゆる放熱グリス）等の適宜の媒体を介して達成されてもよい。
【００２０】
また、本実施形態は、図３に示すように、放熱部材２に対して固定される取付部材３と、取付部材３に対して固定され発光素子１０の光を配光する反射板４と、透光性を有する材料からなり反射板４に固定される透光カバー５とを備える。反射板４は全体として軸方向を上下方向に向けた筒形状であって、一方（下側）の開口を取付部材３の本体部３１によって閉塞され、他方（上側）の開口を透光カバー５によって閉塞される。
【００２１】
取付部材３は、例えばポリブチレンテレフタラート（ＰＢＴ：Ｐｏｌｙｂｕｔｙｌｅｎｅ  ｔｅｒｅｐｈｔｈａｌａｔｅ）のような樹脂からなり、厚さ方向を上下方向に向けた円板形状の本体部３１を備える。本体部３１の上面には、それぞれ本体部３１と同心であって外径が本体部３１の外径よりも小さい円筒形状の一部を構成する複数個の円弧形状の周壁部３２が設けられている。
【００２２】
反射板４は、軸方向を上下方向に向けた筒形状であって発光素子１０を囲む内筒部４１と、内筒部４１と同軸の円環形状であって内周端を内筒部４１の上端に連結された連結部４２と、連結部４２の外周端から上方に突出する円筒形状の先筒部４３とを有する。内筒部４１の内周面と、連結部４２の上面と、先筒部４３の内周面とは、発光素子１０の光に対する反射率を高めるように例えば白色に塗装されている。また、発光素子１０の光を上方へ配光するために、内筒部４１の内周面は上方に向かって内径を大きくするように傾斜し、連結部４２の上面は外周に向かって上方へ傾斜している。さらに、反射板４は、内筒部４１と同心の円筒形状であって上端を連結部４２の下面に連結され内径が周壁部３２の外径よりも僅かに大きく周壁部３２を囲む外筒部４４を有する。外筒部４４において、径方向の両端部には、それぞれ径方向に貫通する貫通孔である結合穴４４０が設けられている。また、取付部材３において、本体部３１の径方向の両端付近には、それぞれ、上端部を本体部３１に対して径方向に変位させるように弾性変形可能な結合片３３が設けられている。さらに、各結合片３３の先端部（上端部）には、径方向の外向きに突出する結合爪３４が設けられており、各結合穴４４０にそれぞれ結合爪３４が係入することで反射板４と取付部材３とは互いに結合する。
【００２３】
透光カバー５は、例えばアクリル樹脂やポリカーボネート樹脂のように透光性を有する（つまり発光素子１０の光を透過させる）材料からなり、全体として反射板４の先筒部４３と同等の外径を有する円板形状となっている。透光カバー５は図１〜図３のようにフレネルレンズ５０と一体化されていてもよいし、１個乃至複数個の球面レンズと一体化されていてもよいし、レンズ状の構造を有さない平板状であってもよい。また、透光カバー５は、粒子状物質の拡散や粗面化等の適宜の加工により、発光素子１０の光を拡散させるように構成されていてもよい。さらに、透光カバー５は、光学フィルタとしての機能を付与されていてもよい。具体的には、透光カバー５は、光の波長を変換する蛍光体や、特定の波長域の光（例えば紫外光）に対する吸収率が比較的に高い物質を含んでいてもよい。
【００２４】
透光カバー５の径方向の両端には、それぞれ、結合凹部５１が設けられている。また、反射板４において、先筒部４３の上端の径方向の両端部には、それぞれ、上端部を先筒部４３に対して径方向に変位させるように弾性変形可能な結合片４５が設けられている。さらに、各結合片４５の先端部（上端部）には、径方向の内向きに突出する結合爪４６が設けられており、各結合凹部５１にそれぞれ結合爪４６が係入することで透光カバー５と反射板４とは互いに結合する。
【００２５】
また、取付部材３の本体部３１の中央部には、上下方向に貫通する貫通孔であって基板１１よりも僅かに大きい寸法形状を有する位置決め孔３１０が設けられている。基板１１は、位置決め孔３１０に嵌め込まれることで、位置決め孔３１０の内周面により取付部材３に対して位置決めされる。位置決め孔３１０の下側の開口は放熱部材２の本体部２１によって閉塞されるから、基板１１が取付部材３の下方に脱落することはない。
【００２６】
さらに、本実施形態は、位置決め孔３１０の上方への基板１１の脱落を阻止する２個のホルダ６を備える。各ホルダ６はそれぞれ例えば樹脂のような絶縁材料からなる。図４に示すように、各ホルダ６は、それぞれ頭部を上方に向けた１本ずつのねじ８１により、取付部材３とともに放熱部材２にねじ止め固定される。具体的には、各ホルダ６と、取付部材３の本体部３１において位置決め孔３１０を挟む２箇所とには、それぞれねじ８１が挿通されるねじ挿通孔６１，３１１が設けられている。また、放熱部材２の本体部２１の上面には、上記のねじ８１がねじ込まれるねじ穴２１１が開口している。さらに、図５に示すように、取付部材３の下面には、それぞれ軸方向を上下方向に向けた円柱形状の位置決め部としての位置決め凸部３５が複数個設けられている。また、放熱部材２の本体部２１の上面には、それぞれ上記の位置決め凸部３５が１個ずつ挿入される（つまり凹凸係合する）位置決め部としての位置決め凹部２１２が複数個設けられている。すなわち、各位置決め凸部３５がそれぞれ位置決め凹部２１２に挿入されることで、取付部材３は放熱部材２に対して位置決めされる。なお、図１や図５では位置決め凸部３５及び位置決め凹部２１２はそれぞれ長方形の頂点の配置で４個設けられているが、位置決め凸部３５及び位置決め凹部２１２の個数及び配置は上記に限られない。さらに、位置決め凸部３５の形状も円柱形状に限られず、位置決め凸部３５と位置決め凹部２１２とは相互に凹凸係合して位置決めが達成される形状であればよい。また、凹凸の関係も上記に限られず、例えば放熱部材２の凸部が取付部材３の凹部に係入することで位置決めが達成される構成としてもよい。さらに、取付部材３には、本体部３１の上面から突出する凸部からなり上方から見てホルダ６を囲むことでホルダ６を位置決めする（つまり取付部材３の上面に沿ったホルダ６の回転や平行移動を禁止する）ホルダ位置決め部３６が設けられている。このホルダ位置決め部３６により、取付部材３に対するホルダ６のがたつきが抑えられる。また、各ホルダ６は、それぞれ、ねじ８１が締め付けられた際に基板１１の上面に押し付けられる押さえ部６２を２個ずつ有しており、押さえ部６２が位置決め孔３１０の内周面に当たることによっても、各ホルダ６は取付部材３に対して位置決めされる。各押さえ部６２はそれぞれ基板１１の辺に沿うように細長い形状とされている。また、各ホルダ６において、２個の押さえ部６２の長さ方向は互いに直交しており、各ホルダ６はそれぞれ全体としてＬ字形状となっている。なお、各ホルダ６は、基板１１の上側に位置する押さえ部６２を少なくとも１個有していれば上記のようなＬ字形状に限られず、例えば押さえ部６２を１個のみ有するＩ字形状であってもよい。
【００２７】
また、各ホルダ６には、それぞれ、端子板７が保持されている。各端子板７は、それぞれ、例えば金属のような導電材料からなり、図６に示すように、基板１１に設けられた端子１２に接触導通する基板接触部７０と、電線８２に接触導通する電線接触部７１とを有する。すなわち、電線８２は、端子板７を介して発光素子１０に電気的に接続される。各端子板７は、それぞれ、ホルダ６の下面に開口した収納凹部６０（図２参照）に嵌め込まれることでホルダ６に保持されている。図７に示すように、収納凹部６０には、下側の開口のほか、電線８２が挿入される電線挿入口６００が設けられており、電線接触部７１は電線挿入口６００に挿入された電線８２に対し下面において接触する。また、各端子板７は、それぞれ、Ｕ字形状であって両端を電線接触部７１の一端に連結された連結部７２と、一端を連結部７２の中央部に連結され他端を電線接触部７１の一面に向けた鎖錠部７３とを有する。端子板７は、連結部７２と電線接触部７１との間に形成される開口を電線挿入口６００に連通させる形でホルダ６に保持されている。電線挿入口６００から挿入された電線８２は、鎖錠部７３と電線接触部７１との間に導入され、鎖錠部７３のばね力によって電線接触部７１に押し付けられるとともに、鎖錠部７３の先端が食い込むことによって抜け止め（鎖錠）される。すなわち、端子板７の電線接触部７１と鎖錠部７３とはいわゆる速結端子を構成している。さらに、各端子板７において、電線接触部７１の幅方向の両側には、それぞれ連結凸部７４と被ガイド凸部７５とが設けられている。また、各ホルダ６において、収納凹部６０の内面であって端子板７の電線接触部７１を挟んで互いに対向する内面２箇所には、それぞれ、連結凸部７４が係入する連結穴６０１と、下方に開放されて被ガイド凸部７５が挿入されるガイド溝６０２とが開口している。すなわち、各連結凸部７４がそれぞれ連結穴６０１に係入することで収納凹部６０から下方への端子板７の脱落が防止される。また、端子板７をホルダ６に組み付ける際には、各被ガイド凸部７５がそれぞれガイド溝６０２の内面によってガイドされる。また、各ホルダ６は、それぞれ、ねじ挿通孔６１に挿通されたねじ８１の頭部と電線挿入口６００との間に位置する仕切り部６３を有している。この仕切り部６３によって、ねじ８１と端子板７との間の電気絶縁性が向上している。また、放熱部材２の本体部２１と取付部材３の本体部３１とには、それぞれ、互いに連通して上記の電線８２が挿通される電線挿通孔２１３，３１３が設けられている。
【００２８】
ここで、電線挿入口６００は、取付部材３の本体部３１の上面（すなわちホルダ６が固定される面）に対して中心軸が傾斜した円筒形状の部位の先端に開口していることで、上記の面から離れる向きに開口している。
【００２９】
上記構成によれば、電線挿入口６００の開口の向きが取付部材３に平行（例えば図７での左向き）とされる場合に比べ、電線挿入口６００への電線８２の挿入時に取付部材３が邪魔になりにくいから、電線挿入口６００への電線８２の挿入が容易となっている。
【００３０】
電線挿入口６００の仰角（つまり、電線挿入口６００の開口面の法線と取付部材３の本体部３１の上面とがなす角）θは、９０°に近いほど、電線挿入口６００への電線８２の挿入が容易となる代わりに、取付部材３の上方へのホルダ６の突出寸法が大きくなる。電線挿入口６００の仰角θは、ホルダ６や電線８２が反射板４に干渉しない範囲内でなるべく大きくされることが望ましく、例えば２５°とされる。
【００３１】
なお、上記のように１個ずつの端子板７を保持した２個のホルダ６を用いる代わりに、２個の端子板７を保持したホルダを１個のみ用いてもよい。この場合、ホルダの形状は、発光素子１０に重ならないように、例えば環形状やＵ字形状とされる。このようにホルダを１個のみ用いれば、部品点数を削減することができる。
【００３２】
また、図８に示すように反射板４の外筒部４４に電線挿通孔４４１を設け、電線８２が反射板４から径方向に引き出されるようにしてもよい。
【００３３】
さらに、取付部材３に反射板４を結合させる方法や、反射板４に透光カバー５を結合させる方法としては、上記のような結合爪３４，４６による凹凸係合に代えて、バヨネット式やスクリュー式といった他の周知の方法を用いてもよい。
【００３４】
また、本実施形態では、電線挿入口６００の向きを各ホルダ６で互いに平行とするために、ホルダ６同士、端子板７同士で、形状を互いに異ならせているが、ホルダ６同士、端子板７同士で、それぞれ形状を互いに共通としてもよい。
【符号の説明】
【００３５】
２  放熱部材
３  取付部材
６  ホルダ
７  端子板
１０  発光素子
１１  基板
３６  ホルダ位置決め部
６１  ねじ挿通孔
６３  仕切り部
７１  電線接触部
８１  ねじ
８２  電線
２１３  電線挿通孔
３１３  電線挿通孔
４４１  電線挿通孔
６００  電線挿入口
【図１】
0006358538.tif 000002
【図２】
0006358538.tif 000003
【図３】
0006358538.tif 000004
【図４】
0006358538.tif 000005
【図５】
0006358538.tif 000006
【図６】
0006358538.tif 000007
【図７】
0006358538.tif 000008
【図８】
0006358538.tif 000009